【手続補正書】
【提出日】平成29年5月24日(2017.5.24)
【手続補正１】
【補正対象書類名】特許請求の範囲
【補正対象項目名】全文
【補正方法】変更
【補正の内容】
【特許請求の範囲】
【請求項１】
ビデオデータのブロックを同じピクチャ内のビデオデータの予測ブロックからイントラ予測するためのモードを含むビデオデータを復号する方法であって、
符号化ビデオビットストリームにおいて、２次元ベクトルの水平変位成分および垂直変位成分ならびにビデオデータの現在のブロックに関する残差ブロックを定義する１つまたは複数のシンタックス要素を受信することと、
前記１つまたは複数のシンタックス要素を復号することと、
前記２次元ベクトルの前記水平変位成分および前記垂直変位成分を定義する前記復号されたシンタックス要素に基づいてビデオデータの前記現在のブロックに関するビデオデータの予測ブロックを決定することと、ここにおいて、ビデオデータの前記予測ブロックがビデオデータの前記現在のブロックと同じピクチャ内のビデオデータの複数の再構成ブロックのうちの１つであり、対象とする領域がビデオデータの前記複数の再構成ブロックの制限されたセットを備え、ビデオデータの前記予測ブロックが前記対象とする領域内にあり、前記対象とする領域がインループフィルタ処理されていない同じピクチャ内のビデオデータの前記複数の再構成ブロックの前記制限されたセットに制限される、
ビデオデータの前記予測ブロックおよび前記残差ブロックに基づいてビデオデータの前記現在のブロックを再構成することとを備える、方法。
【請求項２】
ビデオデータのブロックを同じピクチャ内のビデオデータの予測ブロックからイントラ予測するためのモードを含むビデオデータを符号化する方法であって、
ビデオデータの現在のブロックと同じピクチャ内のビデオデータの以前に符号化された複数のブロックからビデオデータの現在のブロックに関するビデオデータの予測ブロックを選択することと、
２次元ベクトルを決定することと、ここにおいて、前記２次元ベクトルは、水平変位成分と垂直変位成分とを有し、前記水平変位成分は、ビデオデータの前記予測ブロックとビデオデータの前記現在のブロックとの間の水平変位を表し、前記垂直変位成分は、ビデオデータの前記予測ブロックとビデオデータの前記現在のブロックとの間の垂直変位を表す、
ビデオデータの前記現在のブロックおよびビデオデータの前記予測ブロックに基づいて残差ブロックを決定することと、
符号化ビデオビットストリームにおいて、前記２次元ベクトルの前記水平変位成分および前記垂直変位成分ならびに前記残差ブロックを定義する１つまたは複数のシンタックス要素を符号化することとを備え、
ここにおいて、ビデオデータの前記予測ブロックを選択することが、
ビデオデータの前記以前に符号化された複数のブロックの制限されたセットを備える、対象とする領域を定義することと、ここにおいて、ビデオデータの前記以前に符号化された複数のブロックの前記制限されたセットを備える前記対象とする領域を定義することは、前記対象とする領域を、インループフィルタ処理されていない同じピクチャ内のビデオデータの再構成ブロックに制限することを備える、
前記対象とする領域内からビデオデータの前記予測ブロックを選択することと、を備える、
方法。
【請求項３】
対象領域メモリに前記対象とする領域のすべてのサンプルを記憶することをさらに備える、請求項２に記載の方法。
【請求項４】
ビデオデータの前記現在のブロックは、最大コーディングユニット内に位置し、前記対象とする領域を定義することは、前記最大コーディングユニットのサイズに基づいて前記対象とする領域を定義することを備える、請求項２に記載の方法。
【請求項５】
前記最大コーディングユニットの前記サイズに基づいて前記対象とする領域を定義することは、前記最大コーディングユニットの高さに基づいて前記対象とする領域の高さを定めることを備える、請求項４に記載の方法。
【請求項６】
前記対象とする領域を定義することは、整数個のサンプルに基づいて前記対象とする領域の高さまたは幅の少なくとも一方を定めることを備える、請求項２に記載の方法。
【請求項７】
ビデオデータの前記現在のブロックは、現在の最大コーディングユニット内に位置し、前記対象とする領域を定義することは、前記対象とする領域を前記現在の最大コーディングユニットと前記現在の最大コーディングユニットの左に隣接する最大コーディングユニットとのうちの少なくとも一方内に位置するように定義することを備える、請求項２に記載の方法。
【請求項８】
前記シンタックス要素を符号化することは、前記対象とする領域のサイズに基づいて切り捨てられた値を有するシンタックス要素を、切り捨て符号化方式を用いて符号化することを備える、請求項２に記載の方法。
【請求項９】
ビデオデータのブロックを同じピクチャ内のビデオデータの予測ブロックからイントラ予測するためのモードを使用してビデオデータを復号するように構成されたビデオデコーダを備えるデバイスであって、前記ビデオデコーダは、
２次元ベクトルの水平変位成分および垂直変位成分ならびにビデオデータの現在のブロックに関する残差ブロックを定義する１つまたは複数のシンタックス要素を備える符号化ビデオビットストリームを記憶するように構成されたメモリと、
１つまたは複数のプロセッサとを備え、前記１つまたは複数のプロセッサは、
前記１つまたは複数のシンタックス要素を復号することと、
前記２次元ベクトルの前記水平変位成分および前記垂直変位成分を定義する前記復号されたシンタックス要素に基づいてビデオデータの現在のブロックに関するビデオデータの予測ブロックを決定することと、ここにおいて、ビデオデータの前記予測ブロックがビデオデータの前記現在のブロックと同じピクチャ内のビデオデータの複数の再構成ブロックのうちの１つであり、対象とする領域がビデオデータの前記複数の再構成ブロックの制限されたセットを備え、前記対象とする領域がインループフィルタ処理されていない同じピクチャ内のビデオデータの前記複数の再構成ブロックの前記制限されたセットに制限され、ビデオデータの前記予測ブロックが前記対象とする領域内にある、
ビデオデータの前記予測ブロックおよび前記残差ブロックに基づいてビデオデータの前記現在のブロックを再構成することと、を行うように構成される、デバイス。
【請求項１０】
ビデオデータのブロックを同じピクチャ内のビデオデータの予測ブロックからイントラ予測するためのモードを使用してビデオデータを符号化するように構成されたビデオエンコーダを備えるデバイスであって、前記ビデオエンコーダは
符号化ビデオビットストリームを記憶するように構成されたメモリと、
１つまたは複数のプロセッサとを備え、前記１つまたは複数のプロセッサは、
ビデオデータの現在のブロックと同じピクチャ内のビデオデータの以前に符号化された複数のブロックからビデオデータの現在のブロックに関するビデオデータの予測ブロックを選択することと、
２次元ベクトルを決定することと、ここにおいて、前記２次元ベクトルは、水平変位成分と垂直変位成分とを有し、前記水平変位成分は、ビデオデータの前記予測ブロックとビデオデータの前記現在のブロックとの間の水平変位を表し、前記垂直変位成分は、ビデオデータの前記予測ブロックとビデオデータの前記現在のブロックとの間の垂直変位を表す、
ビデオデータの前記現在のブロックおよびビデオデータの前記予測ブロックに基づいて残差ブロックを決定することと、
前記符号化ビデオビットストリームにおいて、前記２次元ベクトルの前記水平変位成分および前記垂直変位成分ならびに前記残差ブロックを定義する１つまたは複数のシンタックス要素を符号化することとを行うように構成され、
ここにおいて、前記１つまたは複数のプロセッサは、少なくとも、
ビデオデータの前記以前に符号化された複数のブロックの制限されたセットを備える、対象とする領域を定義することと、ここにおいて、前記対象とする領域は、インループフィルタ処理されていない同じピクチャ内のビデオデータの再構成ブロックに制限される、
前記対象とする領域内からビデオデータの前記予測ブロックを選択することと、
によってビデオデータの前記予測ブロックを選択するようにさらに構成される、デバイス。
【請求項１１】
前記１つまたは複数のプロセッサは、対象領域メモリに前記対象とする領域のすべてのサンプルを記憶するように構成される、請求項１０に記載のデバイス。
【請求項１２】
ビデオデータの前記現在のブロックは、最大コーディングユニット内に位置し、前記１つまたは複数のプロセッサは、前記最大コーディングユニットのサイズに基づいて前記対象とする領域を定義するように構成される、請求項１０に記載のデバイス。
【請求項１３】
前記１つまたは複数のプロセッサは、前記最大コーディングユニットの高さに基づいて前記対象とする領域の高さを定めるように構成される、請求項１２に記載のデバイス。
【請求項１４】
前記１つまたは複数のプロセッサは、整数個のサンプルに基づいて前記対象とする領域の高さまたは幅の少なくとも一方を定めるように構成される、請求項１０に記載のデバイス。
【請求項１５】
ビデオデータのブロックを同じピクチャ内のビデオデータの予測ブロックからイントラ予測するためのモードを含むビデオデータをコーディングするための命令が記憶された非一時的コンピュータ可読記憶媒体であって、前記命令は、実行されたときに、１つまたは複数のプロセッサに、請求項１から請求項８のうちのいずれか一項に記載の方法を実行させる、非一時的コンピュータ可読記憶媒体。